(57)【特許請求の範囲】
【請求項１】
ロックロッド上下端に設けられたカム両側には二股に分かれた爪、及び、二股に分かれた係合部が設けられ、他方、カム受けにはカムを受け入れる凹所が構成され、その一側の部材は側面から見るとＴ字を９０度横に回転させた形に構成され、当該Ｔ字形部材のＴ字の縦線の下端に相当する部分がドアヘッダー、又は、ドアシルに固着され、カムとカム受けが噛み合うとき、カムの二股に分かれた爪がＴ字形部材のＴ字の縦線部を挟み、且つ、Ｔ字形部材のＴ字の横線の左部分と右部分に相当する部分の後面に二股に分かれた爪の前面がそれぞれ当接する構成となし、又、凹所の他側にはカムの二股に分かれた係合部の股部分に係合する突起がドアヘッダー、又は、ドアシルに固着されているドアロック装置において、カム受けのＴ字形部材の、Ｔ字の横線と縦線の交点部分の横線に相当する部分に凹所方向であり、且つ、カム受けの前面手前方向である方向に突起を設け、ロックロッドを回動させロックロッド上下端のカムを上下のカム受けに噛み合わせようとするとき、上端、下端どちらかのカムの爪がカム受けと噛み合わず、カムの爪の後面とカム受けのＴ字形部材の前面とが接触しながら回転する場合に当該突起は二股に分かれたカムの爪の間に位置し、且つ、二股に分かれた爪の股部分を抑止し、因って、カムの動き、及び、ロックロッドの回動を抑止する構成となしたカムとカム受け。
【請求項２】
カムの二股に分かれた爪の股部分の側面と後面とによって角を構成し突起となした請求項１のカムとカム受け。
【請求項３】
カムの二股に分かれた爪の股部分と二股に分かれた係合部の股部分との間の前面にカムの軸線と交差する方向に窪みを設けた請求項１、又は、請求項２のカムとカム受け。
【請求項４】
カム受けのＴ字形部材の前面に、Ｔ字の縦線と横線の交点部分からＴ字の横線の左右端に相当する部分にかけて、ドアヘッダー、又は、ドアシル方向に傾斜する傾斜面を構成し、当該傾斜面に適合する傾斜面をカムの二股に分かれた爪のそれぞれの後面に設けた請求項１、又は、請求項２、又は、請求項３のカムとカム受け。
【発明の詳細な説明】
【発明の詳細な説明】
【技術分野】
【０００１】      本発明はコンテナ扉の部品であるカムとカム受けの構造に関するものである。
【発明の概要】
【発明が解決しようとする課題】
【０００２】      輸出入コンテナの内、図１７、又は、図１８のように扉の閉じ方が不完全なものが一定程度発生している。図１７の矢印（８）が示す部分の拡大写真が図１９であるが、閉じ方が不完全だと矢印（９）が示す部分に隙間が出来、輸送途中に風雨や波浪に因ってコンテナ内の貨物に濡れ損等のカーゴダメージを発生させてしまう。扉が不完全な閉じ方をしているコンテナが発見された場合、図１８のようにアルミテープとシーラー等によって隙間を塞ぐ処置を施すが手間がかかり、なお且つ、カーゴダメージを完全に防ぐことは出来ていない。
【課題を解決するための手段】
【０００３】    本課題を解決するためカムとカム受けの構造を次の様にする。請求項２に基づく実施例によって説明すると、従来品のカムとカム受けに、図８のようにカム（４）には突起（１）を設け、カム受け（５）には突起（２）を設ける。このようにすると、コンテナ扉を閉める際、カムとカム受けが噛み合わず、カム受け（５）の前面にカム（４）の後面が接触しながら回転すると図１３のように突起（１）が突起（２）に引っ掛かり、図１６のようにドアハンドル（６）がドア面と角度を成すためドアハンドル（６）をハンドル受け（７）に掛けられなくなる。結果的にコンテナ扉を閉める動作をやり直さざるを得なくなるため不完全な閉じ方を防止できる。また、請求項１のカムとカム受けではカム（４）に突起（１）は設けられていないが、コンテナ扉を閉める際、ドアハンドル（６）によってロックロッド（１４）を回動させ、ロックロッド（１４）の上下端に設けられたカム（４）がカム受け（５）と噛み合い損ね、カム受け（５）の前面にカム（４）の後面が接触しながらカム（４）が回転したとき、カム（４）に突起（１）が無くてもカム（４）の二股に分かれた爪（１２）の股部分（１７）がカム受け（５）の突起（２）に抑止される構成としたものである。【０００４】    なお、カム受け（５）に突起（２）を設けるとコンテナ扉を閉めようとする際、図９、図１０のように突起（２）とカム（４）とが干渉する恐れがあるが、図５、図８のようにカム（４）に窪み（３）を設けることによって干渉を防げる。【０００５】    また、図１４のＢ−Ｂ線による左側から見た断面図、図１１において、図１２のようにカム受け（５）のＴ字形部材（１５）の前面にＴ字に擬えると、縦線と横線の交点部分より横線の左右端にかけてそれぞれコンテナ本体方向に傾斜する傾斜を設け、当該傾斜に適合する傾斜をカム（４）の二股に分かれた爪（１２）のそれぞれの後面に設けることによって、コンテナ扉を閉めようとする際、カム（４）とカム受け（５）が噛み合い損ねた場合、突起（１）と突起（２）が引っ掛かりやすくなる。
【図面の簡単な説明】
【０００６】
【図１】コンテナ扉の従来品のカムの斜視図
【図２】コンテナ扉の従来品のカム受けの斜視図
【図３】従来品のカムとカム受けが正常に噛み合っている状態の正面図
【図４】図３のＣ−Ｃ線による断面図
【図５】コンテナ扉の、本発明のカムの斜視図
【図６】コンテナ扉の、本発明のカム受けの斜視図
【図７】本発明のカムとカム受けが噛み合っている状態の正面図
【図８】図７のＡ−Ａ線による断面図
【図９】本発明の、突起（１）を設けたカム（４）と突起（２）を設けたカム受け（５）を備えたコンテナ扉を閉めようとする時のカム（４）とカム受け（５）の動作説明平面図
【図１０】本発明の、突起（１）を設けたカム（４）と突起（２）を設けたカム受け（５）を備えたコンテナ扉を閉めようとする時のカム（４）とカム受け（５）の動作説明平面図
【図１１】図１４のＢ−Ｂ線による左側から見た断面図
【図１２】図１１において、カム（４）の二股に分かれた爪（１２）の後面とカム受け（５）のＴ字形部材（１５）の前面に傾斜を設けたときの断面図
【図１３】図１６の部分（１１）の拡大斜視図
【図１４】図１６の部分（１１）の拡大正面図
【図１５】図１４のＤ−Ｄ線による断面図
【図１６】本発明のカム（４）の突起（１）とカム受け（５）の突起（２）が引っ掛かり、コンテナ扉のドアハンドル（６）が扉面と角度を成す状態となった右扉の斜視図
【図１７】コンテナの右扉の上部のカムとカム受けが正常に噛み合っていない状態のコンテナを斜め上から見たときの写真
【図１８】コンテナの右扉が正常に閉まっておらず、右扉の上部と左右扉の合わせ目にアルミテープとシーラーによって隙間を塞ぐ仮修理を施したコンテナ扉の写真
【図１９】図１７の矢印（８）が示す部分を上から見た拡大写真
【図２０】図１８の矢印（１０）が示す部分を斜め下から見た拡大写真
【符号の説明】
【０００７】１  突起
２  突起
３  窪み
４  カム
５  カム受け
６  ドアハンドル
７  ハンドル受け
８  矢印
９  矢印
１０  矢印
１１  カムとカム受けが正常に噛み合っていない部分
１２  カムの二股に分かれた爪
１３  カムの二股に分かれた係合部
１４  ロックロッド
１５  Ｔ字形部材
１６  カム受けの突起
１７  二股に分かれた爪の股部分
１８  二股に分かれた係合部の股部分
１９  カム受けの凹所
【要約】      （修正有）【課題】主に海上コンテナで、コンテナ扉を閉めた時の確認不足が原因で、コンテナ扉が正常に閉まっておらず、扉とコンテナ本体との間に隙間が生じている状態が発生するのを防止する。【解決手段】コンテナ扉のカム（４）には突起（１）を設け、カム受け（５）には突起（２）を設ける。これにより、コンテナ扉を閉める際、カムとカム受けが咬み合わず、カム受け（５）の表側にカム（４）の裏側が接触しながら回転すると突起（１）が突起（２）に引っ掛かりドアハンドルがドア面と角度を成すためドアハンドルをハンドル受けに掛けられなくなる。結果的にコンテナ扉を閉める動作をやり直さざるを得なくなるため不完全な閉じ方を防止できる。【選択図】図８【図１】
0006032508.tif 000002
【図２】
0006032508.tif 000003
【図３】
0006032508.tif 000004
【図４】
0006032508.tif 000005
【図５】
0006032508.tif 000006
【図６】
0006032508.tif 000007
【図７】
0006032508.tif 000008
【図８】
0006032508.tif 000009
【図９】
0006032508.tif 000010
【図１０】
0006032508.tif 000011
【図１１】
0006032508.tif 000012
【図１２】
0006032508.tif 000013
【図１３】
0006032508.tif 000014
【図１４】
0006032508.tif 000015
【図１５】
0006032508.tif 000016
【図１６】
0006032508.tif 000017
【図１７】
0006032508.tif 000018
【図１８】
0006032508.tif 000019
【図１９】
0006032508.tif 000020
【図２０】
0006032508.tif 000021